(57)【要約】【課題】  印刷装置が高速起動を行う場合には、印刷制御装置がデバイス情報取得処理を実行するのを省略するので、印刷システム全体としての起動時間の短縮を図る。【解決手段】  外部装置から受信した印刷ジョブに従って画像データを生成する印刷制御装置と、印刷制御装置に接続され、画像データを用いて印刷を行う印刷装置と、を備える印刷システムであって、印刷装置は、印刷装置を、印刷装置のメインメモリに電力が供給されるサスペンド状態又はメインメモリへの電力供給が停止される電源オフ状態に移行させる制御手段、を備え、印刷制御装置は、印刷制御装置が電源オフ状態から起動する場合に、印刷装置が電源オフ状態から起動するならば、印刷装置から印刷装置の情報を取得し、印刷装置がサスペンド状態からメインメモリに記憶される作業状態を用いて起動するならば、印刷装置から印刷装置の情報を取得しない取得手段、を備える。【選択図】  図１０
2016020027.tif 000002
【特許請求の範囲】
【請求項１】
外部装置から受信した印刷ジョブに従ってラスター画像データを生成する印刷制御装置と、前記印刷制御装置に接続され、前記印刷制御装置から送信される前記ラスター画像データを用いて印刷を行う印刷装置と、を備える印刷システムであって、
前記印刷装置は、
前記印刷装置を、前記印刷装置のメインメモリに電力が供給されるサスペンド状態又は前記メインメモリへの電力供給が停止される電源オフ状態に移行させる制御手段、を備え、
前記印刷制御装置は、
前記印刷制御装置が電源オフ状態から起動する場合に、前記印刷装置が前記電源オフ状態から起動するならば、前記印刷装置から前記印刷装置のデバイス情報を取得し、前記印刷装置が前記サスペンド状態から前記メインメモリに記憶される作業状態を用いて起動するならば、前記印刷装置から前記印刷装置のデバイス情報を取得しない取得手段、を備えることを特徴とする印刷システム。
【請求項２】
前記印刷制御装置は、
前記印刷制御装置が電源オフ状態から起動するときに、前記印刷装置が前記電源オフ状態から起動するか、前記印刷装置が前記サスペンド状態から起動するかを確認する確認手段、をさらに備えることを特徴とする請求項１に記載の印刷システム。
【請求項３】
前記印刷制御装置は、
前記印刷装置が前記電源オフ状態または前記サスペンド状態に移行する前に、前記印刷装置が前記電源オフ状態から起動するか、前記印刷装置が前記サスペンド状態から起動するかを確認する確認手段、をさらに備えることを特徴とする請求項１に記載の印刷システム。
【請求項４】
前記印刷制御装置は、
前記印刷装置が前記サスペンド状態に移行する前に取得した前記印刷装置のデバイス情報を記憶する記憶手段、をさらに備え、
前記取得手段が前記印刷装置から前記印刷装置のデバイス情報を取得しない場合、前記記憶手段に記憶される前記印刷装置のデバイス情報を取得する、ことを特徴とする請求項１乃至３の何れか１項に記載の印刷システム。
【請求項５】
前記印刷装置のデバイス情報は、前記印刷装置の型番、前記印刷装置のバージョン情報、前記印刷装置に登録されている用紙の名称、前記印刷装置に登録されている用紙のサイズ、前記印刷装置の備える装置の構成情報、及び、前記印刷装置におけるネットワークの設定情報、の少なくとも１つを含む、ことを特徴とする請求項１乃至４の何れか１項に記載の印刷システム。
【請求項６】
前記制御手段は、前記印刷装置を前記サスペンド状態に移行させる場合に、前記印刷装置のリブートを実行した後、前記リブートした後の状態を示す情報をメインメモリに記憶する、ことを請求項１乃至５の何れか１項に記載の印刷システム。
【請求項７】
外部装置から受信した印刷ジョブに従ってラスター画像データを生成し、前記ラスター画像データを印刷装置に送信する印刷制御装置であって、
前記印刷装置は、前記印刷装置のメインメモリに電力が供給されるサスペンド状態又は前記メインメモリへの電力供給が停止される電源オフ状態に移行し、
前記印刷制御装置が電源オフ状態から起動する場合に、前記印刷装置が前記電源オフ状態から起動するならば、前記印刷装置から前記印刷装置のデバイス情報を取得し、前記印刷装置が前記サスペンド状態から前記メインメモリに記憶される作業状態を用いて起動するならば、前記印刷装置から前記デバイス情報を取得しない取得手段を備える、ことを特徴とする印刷制御装置。
【請求項８】
前記印刷制御装置が電源オフ状態から起動するときに、前記印刷装置が前記電源オフ状態から起動するか、前記印刷装置が前記サスペンド状態から起動するかを確認する確認手段をさらに備える、ことを特徴とする請求項７に記載の印刷制御装置。
【請求項９】
前記印刷装置が前記電源オフ状態または前記サスペンド状態に移行する前に、前記印刷装置が前記電源オフ状態から起動するか、前記印刷装置が前記サスペンド状態から起動するかを確認する確認手段をさらに備える、ことを特徴とする請求項７に記載の印刷制御装置。
【請求項１０】
前記印刷装置が前記サスペンド状態に移行する前に取得した前記印刷装置のデバイス情報を記憶する記憶手段をさらに備え、
前記取得手段が前記印刷装置から前記印刷装置のデバイス情報を取得しない場合、前記記憶手段に記憶される前記印刷装置のデバイス情報を取得する、ことを特徴とする請求項７乃至９の何れか１項に記載の印刷制御装置。
【請求項１１】
前記印刷装置のデバイス情報は、前記印刷装置の型番、前記印刷装置のバージョン情報、前記印刷装置に登録されている用紙の名称、前記印刷装置に登録されている用紙のサイズ、前記印刷装置の備える装置の構成情報、及び、前記印刷装置におけるネットワークの設定情報、の少なくとも１つを含む、ことを特徴とする請求項７乃至１０の何れか１項に記載の印刷システム。
【発明の詳細な説明】
【技術分野】
【０００１】
本発明は、高速起動可能な印刷装置と当該印刷装置に接続される印刷制御装置とを備える印刷システム等に関する。
【背景技術】
【０００２】
近年の印刷装置の中には、起動時間を短縮させるため、サスペンド機能を搭載するものがある。サスペンド機能とは、装置の使用を中断する場合に、現在の作業状態を示す情報をメインメモリに保存して、中断している状態から復帰する場合に、メインメモリに保存された作業状態を示す情報を用いて印刷装置を高速起動させる機能である（特許文献１参照）。
【０００３】
また、サスペンド機能以外にも印刷装置を高速起動させる機能がある。例えば、ハイバネーション機能である。ハイバネーション機能とは、印刷装置の使用を中断する場合に、現在の作業状態をメインメモリから不揮発性メモリにコピーし、中断している状態から復帰する場合に、不揮発性メモリにコピーされた作業状態を用いて印刷装置を高速起動させる機能である。
【０００４】
サスペンド機能やハイバネーション機能を利用すれば、印刷装置を通常起動する場合（ＯＳの起動や各アプリケーションを起動する場合）に比べて、印刷装置を高速に復帰させることができる。
【先行技術文献】
【特許文献】
【０００５】
【特許文献１】特開２００５−２８４４９１号公報
【発明の概要】
【発明が解決しようとする課題】
【０００６】
しかし、印刷装置と、外部装置から受信した印刷ジョブに従ってラスター画像データを生成し当該生成したラスター画像データを印刷装置に送信する印刷制御装置と、を備える印刷システムでは、システム全体としての起動時間の短縮が図られていなかった。例えば、印刷装置がサスペンド機能やハイバネーション機能によって高速起動しても、印刷制御装置の起動完了までの時間が、上記した印刷装置の起動時間より長い場合には、印刷システム全体としての起動時間が長くなってしまう。その結果、印刷装置の高速起動を実現できたとしても、印刷制御装置の起動時間がボトルネックとなって、印刷システムが使用可能な状態になるまでにユーザは待たされることになる。
【０００７】
印刷制御装置は、起動処理として、印刷制御装置のＯＳの起動やアプリケーションの起動などの内部起動処理に加えて、印刷装置の構成情報やメディア情報などを取得するためのデバイス情報取得処理を実行する。このため、印刷装置の起動に比べて、起動が完了するまでに時間を要している。
【０００８】
そこで、本発明は、印刷装置が高速起動を行う場合には、印刷制御装置がデバイス情報取得処理の一部の実行を省略することにより、印刷システム全体としての起動時間の短縮を図ることを目的とする。
【課題を解決するための手段】
【０００９】
本発明の印刷システムは、外部装置から受信した印刷ジョブに従ってラスター画像データを生成する印刷制御装置と、印刷制御装置に接続され、印刷制御装置から送信されるラスター画像データを用いて印刷を行う印刷装置と、を備える印刷システムであって、印刷装置は、印刷装置を、印刷装置のメインメモリに電力が供給されるサスペンド状態又はメインメモリへの電力供給が停止される電源オフ状態に移行させる制御手段、を備え、印刷制御装置は、印刷制御装置が電源オフ状態から起動する場合に、印刷装置が電源オフ状態から起動するならば、印刷装置から印刷装置のデバイス情報を取得し、印刷装置がサスペンド状態からメインメモリに記憶される作業状態を用いて起動するならば、印刷装置から印刷装置のデバイス情報を取得しない取得手段、を備える。
【発明の効果】
【００１０】
本発明の印刷システムによれば、印刷装置が高速起動を行う場合には、印刷制御装置がデバイス情報取得処理の実行を省略することにより、印刷システム全体としての起動時間の短縮を図ることができる。
【図面の簡単な説明】
【００１１】
【図１】印刷システムの全体構成を示すブロック図
【図２】印刷装置と印刷制御装置のハードブロック図
【図３】印刷装置の電源ブロック図
【図４】スリープ状態の印刷装置を示した図
【図５】サスペンド状態の印刷装置を示した図
【図６】電源オフ状態の印刷装置を示した図
【図７】高速起動を有効にするか無効にするかを選択する画面
【図８】電源オフ状態／サスペンド状態に移行する印刷装置が実行するフローチャート
【図９】印刷制御装置の終了処理を示すフローチャート
【図１０】印刷制御装置の起動処理を示したフローチャート
【図１１】電源オフ状態／サスペンド状態に移行する第２実施形態の印刷装置が実行するフローチャート
【図１２】印刷装置の設定が変更された場合に実行されるフローチャート
【発明を実施するための形態】
【００１２】
［第１実施形態］
＜画像形成システムの全体構成＞
図１は、印刷システム１００の全体構成を示すブロック図である。
【００１３】
印刷システム１００は、印刷制御装置１０２と、印刷制御装置１０２とは別体の印刷装置１０３と、を備えている。そして、この印刷システム１００は、クライアントコンピュータ１０１と通信可能に接続されている。クライアントコンピュータ１０１と印刷制御装置１０２とは、Ｌｏｃａｌ  Ａｒｅａ  Ｎｅｔｗｏｒｋ（ＬＡＮ）１１０を介して通信可能に接続されている。印刷制御装置１０２とＬＡＮ１１０とは、イーサネット（登録商標）ケーブル１０９で接続されている。また、印刷制御装置１０２と印刷装置１０３とは、ビデオケーブル１０７および制御ケーブル１０８を介して接続されている。なお、本実施形態では、印刷装置１０３は、ＬＡＮ１１０に直接接続されていないが、印刷装置１０３は、ＬＡＮ１１０に直接接続されても良い。この場合、印刷装置１０３は、クライアントコンピュータ１０１から印刷制御装置１０２を介さずにプリントジョブを受信することが可能となる。
【００１４】
印刷制御装置には、印刷装置１０３に連動して電力状態が変化するエンベデットタイプの印刷制御装置と、印刷装置１０３とは独立して電力状態が変化するサーバタイプの印刷制御装置と、が存在する。第１実施形態の印刷制御装置１０２は、印刷装置１０３に連動して電力状態が変化する印刷制御装置である。
【００１５】
クライアントコンピュータ１０１は、プリンタドライバを用いてプリントジョブ（印刷ジョブ）を生成して、生成したプリントジョブを印刷制御装置１０２に送信する。このプリントジョブは、ページ記述言語（ＰＤＬ：Ｐａｇｅ  Ｄｅｓｃｒｉｐｔｉｏｎ  Ｌａｎｇｕａｇｅ）で記述されたＰＤＬデータである。なお、プリントジョブは、ＰＤＬデータに限定されるものでなく、ＪＰＥＧなどの所定の圧縮方式に従った画像データや、ビットマップデータであっても良い。
【００１６】
印刷制御装置１０２は、クライアントコンピュータ１０１から送信されたプリントジョブを解釈して、ラスター画像データを生成する。そして、印刷制御装置１０２は、生成したラスター画像データ、及び、前記ラスター画像データを用いた印刷を印刷装置１０３に実行させるための制御コマンド、を印刷装置１０３に送信する。ラスター画像データは、ビデオケーブル１０７を介して、印刷装置１０３に送信される。また、制御コマンド（印刷の開始を指示するコマンド、給紙段、印刷部数、印刷レイアウトなどを指定するコマンドなど）は、制御ケーブル１０８を介して、印刷装置１０３に送信される。
【００１７】
印刷装置１０３は、印刷制御装置１０２から送信される制御コマンドに従って、ラスター画像データを用いた印刷を行う。本実施形態の印刷装置１０３は、プリント機能だけでなく、スキャン機能、コピー機能、ＢＯＸ機能、ＳＥＮＤ機能などの様々な機能を有するＭＦＰ（Ｍｕｌｔｉｆｕｎｃｔｉｏｎ  Ｐｅｒｉｐｈｅｒａｌ）である。また、印刷装置１０３は、製本機能やステイプル機能などを有しても良い。
【００１８】
図１に示すように、印刷装置１０３は、スキャナ部１０４、プリンタ部１０５および操作部１０６を備えている。スキャナ部１０４は、原稿台に置かれた原稿の画像を読み取って、当該画像に対応する画像データを生成する。プリンタ部１０５は、ラスター画像データに基づいて印刷を行う。プリンタ部１０５は、電子写真方式の印刷機構を含む。この印刷機構は、感光体ドラム１０５ａと、感光体ドラム１０５ａ上に静電潜像を形成する露光装置（図示しない）と、静電潜像をトナー現像する現像装置（図示しない）と、印刷用紙に転写されたトナー像を印刷用紙に定着させる定着器１０５ｂと、を含む。また、操作部１０６は、表示部１０６ａと入力部１０６ｂとを有する。表示部１０６ａは、例えば、液晶ディスプレイであって、入力部１０６ｂは、例えば、節電ボタン１０６ｃ、タッチパネル、各種ボタンである。
【００１９】
図２は、印刷装置と印刷制御装置とのハードブロック図である。
【００２０】
次に、図２を参照して、印刷装置１０３のコントローラ１３０の詳細を説明する。コントローラ１３０は、印刷装置１０３の全体の動作制御、状態管理、画像処理などを行う。例えば、コントローラ１３０は、操作部１０６、スキャナ部１０４およびプリンタ部１０５の動作を制御する。
【００２１】
コントローラ１３０は、ＣＰＵ１３１、ＲＯＭ１３２、ＲＡＭ（メインメモリ）１３３、ＨＤＤ１３４、電源制御部１３５及び画像処理部１３６を備える。また、コントローラ１３０は、ビデオインターフェース（ビデオＩ／Ｆ）１３７、ネットワークインターフェース（ネットワークＩ／Ｆ）１３８及びシステムバス１３９を備える。
【００２２】
ＣＰＵ１３１は、記憶装置（ＲＯＭ１３２、ＨＤＤ１３４）に格納されたプログラムを実行して、印刷装置１０３の各部の制御を行う。ＲＡＭ１３３は、ＣＰＵ１３１のワークメモリとして使用される。ＨＤＤ１３４は、大容量の記憶装置であり、ＣＰＵ１３１により実行される各種制御プログラムおよび画像データを格納している。画像処理部１３６は、画像信号線を介してスキャナ部１０４及びプリンタ部１０５に接続される。ビデオＩ／Ｆ１３７は、ビデオケーブル１０７を介して印刷制御装置１０２に接続される。また、ネットワークＩ／Ｆ１３８は、制御ケーブル１０８を介して印刷制御装置１０２に接続される。ビデオＩ／Ｆ１３７は、ラスター画像データを、ビデオケーブル１０７を介して印刷制御装置１０２に送信する。また、ネットワークＩ／Ｆ１３８は、制御コマンドを、制御ケーブル１０８を介して印刷制御装置１０２に送信する。また、電源制御部１３５は、印刷装置１０３の各部への電力供給と停止とを制御する。
【００２３】
次に、図２を参照して、印刷制御装置の詳細を説明する。
【００２４】
印刷制御装置１０２は、ＣＰＵ１２１、メモリ１２２、ＨＤＤ１２３、ビデオＩ／Ｆ１２４、ネットワークＩ／Ｆ１２５およびネットワークＩ／Ｆ１２６を備える。以下、印刷装置１０３と通信を行うためのネットワークＩ／Ｆ１２５を内部ネットワークＩ／Ｆ１２５と呼び、クライアントコンピュータ１０１と通信を行うためのネットワークＩ／Ｆ１２６を外部ネットワークＩ／Ｆ１２６と呼ぶ。
【００２５】
ＣＰＵ１２１は、記憶装置（メモリ１２２、ＨＤＤ１２３）に格納されたプログラムを実行して、印刷制御装置１０２の各部の制御を行う。メモリ１２２は、ＣＰＵ１２１のワークメモリとして使用される。ＨＤＤ１２３は、大容量の記憶装置であり、ＣＰＵ１２１により実行される各種制御プログラムおよび画像データを格納している。ビデオＩ／Ｆ１２４は、ビデオケーブル１０７を介して印刷装置１０３に接続される。また、内部ネットワークＩ／Ｆ１２５は、制御ケーブル１０８を介して印刷装置１０３に接続される。外部ネットワークＩ／Ｆ１２６は、イーサネット（登録商標）ケーブル１０９を介してＬＡＮ１１０に接続される。
【００２６】
図３は、印刷装置１０３の電源ブロック図である。
【００２７】
図３を参照して、印刷装置１０３の電源系について詳細に説明する。
【００２８】
印刷装置１０３は、第１電源供給部１５１、第２電源供給部１５２および第３電源供給部１５３を備える。第１電源供給部１５１は、プラグＰを介して供給される交流電源から約５．０Ｖの直流電源を生成する。そして、第１電源供給部１５１は、生成した直流電源をネットワークＩ／Ｆ１３８、ＣＰＵ１３１、ＲＡＭ１３３、ＲＯＭ１３２、ＨＤＤ１３４、電源制御部１３５および、操作部１０６の節電ボタン１０６ｃに供給する。以下、第１電源供給部１５１から電源の供給を受けるデバイスを、第１電源系統デバイスと呼ぶ。
【００２９】
また、第２電源供給部１５２は、プラグＰを介して供給される交流電源から約１２．０Ｖの直流電源を生成する。そして、第２電源供給部１５２は、生成した直流電源を表示部１０６ｂ、画像処理部１３６、ビデオＩ／Ｆ１３７に供給する。以下、第２電源供給部１５２から電源の供給を受けるデバイスを、第２電源系統デバイスと呼ぶ。
【００３０】
また、第３電源供給部１５３は、プラグＰを介して供給される交流電源から約２４．０Ｖの直流電源を生成する。そして、第３電源供給部１５３は、生成した直流電源をプリンタ部１０５およびスキャナ部１０４に供給する。以下、第３電源供給部１５３から電源の供給を受けるデバイスを、第３電源系統デバイスと呼ぶ。
【００３１】
第１電源供給部１５１と第１電源系統デバイスとの間には、ユーザの操作に応じてオン状態またはオフ状態になる電源スイッチ１５４が配置されている。この電源スイッチ１５４は、ユーザの操作に応じてオン状態またはオフ状態になるシーソースイッチ１５４ａと、シーソースイッチ１５４ａをオフ状態にするためのソレノイド１５４ｂと、を有している。
【００３２】
また、電源スイッチ１５４と並列に、第１電源供給部１５１によって生成された電力を第１電源系統デバイスに供給するためのリレースイッチ１５５が配置される。電源スイッチ１５４がユーザの操作によってオフ状態になったとしても、リレースイッチ１５５を介して第１電源供給部１５１から第１電源系統デバイスに電力が供給される。電源スイッチ１５４がオフ状態になったことは、信号ＳＥＥＳＡＷを介して電源制御部１３５に通知される。電源制御部１３５は、電源スイッチ１５４がオフ状態になった場合に、ＣＰＵ１３１に対してシャットダウン処理を実行するよう指示する。そして、ＣＰＵ１３１によってシャットダウン処理が実行されると、電源制御部１３５は、信号ＳＨＵＴＯＦＦを介して、リレースイッチ１５５をオフ状態にする。これにより、印刷装置１０３が電源オフ状態になる。
【００３３】
また、プラグＰと第２電源供給部１５２との間には、プラグＰから第２電源供給部１５２への電力の供給と遮断とを切り替えるリレースイッチ１５６が配置される。また、プラグＰと第３電源供給部１５３との間には、プラグＰから第３電源供給部１５３への電力の供給と遮断とを切り替えるリレースイッチ１５７が配置される。
【００３４】
また、ＣＰＵ１３１、ＲＯＭ１３２およびＨＤＤ１３４と第１電源供給部１５１との間には、ＣＰＵ１３１、ＲＯＭ１３２およびＨＤＤ１３４への電力の供給と停止とを切り替えるスイッチ１５８が配置される。
【００３５】
また、プリンタ部１０５と第３電源供給部１５３との間には、プリンタ部１０５への電力の供給と停止とを切り替えるスイッチ１５９が配置される。また、スキャナ部１０４と第３電源供給部１５３との間には、スキャナ部１０４への電力の供給と停止とを切り替えるスイッチ１６０が配置される。
【００３６】
また、ネットワークＩ／Ｆ１３８と第１電源供給部１５１との間には、ネットワークＩ／Ｆ１３８への電力の供給と停止とを切り替えるスイッチ１６１が配置される。また、操作部１０６の節電ボタン１０６ｃと第１電源供給部１５１との間には、節電ボタン１０６ｃへの電力の供給と停止とを切り替えるスイッチ１６２が配置される。
【００３７】
印刷装置１０３は、スタンバイ状態と、スタンバイ状態より消費電力の少ない省電力状態（サスペンド状態（第１省電力状態）、スリープ状態（第２省電力状態））と、で動作する。図３に示すように、スタンバイ状態では、印刷装置１０３の各部に電力が供給されている。本実施形態では、サスペンド状態およびスリープ状態を総称して省電力状態と呼ぶ。
【００３８】
スタンバイ状態で、操作部１０６がユーザによって所定時間操作されず、且つ、ネットワークＩ／Ｆ１３８が前記所定時間パケットを受信しなかった場合、印刷装置１０３は、図４に示すように、スリープ状態に移行する。このスリープ状態では、第１電源系統デバイスの電源制御部１３５、節電ボタン１０６ｃ、ビデオＩ／Ｆ１３７、ネットワークＩ／Ｆ１３８およびＲＡＭ１３３に電力が供給される。しかし、その他の第１電源系統デバイス、第２電源系統デバイスおよび第３電源系統デバイスには電力が供給されない。なお、スリープ状態で、ビデオＩ／Ｆ１３７に電力が供給されなくても良い。
【００３９】
スリープ状態では、印刷制御装置１０２からラスター画像データ又は制御情報を受信した場合に、スタンバイ状態に復帰可能である。スリープ状態でビデオＩ／Ｆ１３７への電力供給が停止される場合、ネットワークＩ／Ｆ１３８が印刷制御装置１０２から制御情報を受信することによって、ビデオＩ／Ｆ１３７に電力が供給される。これにより、ビデオＩ／Ｆ１３７が画像データを受信することが可能なスタンバイ状態になる。
【００４０】
また、印刷装置１０３は、電源スイッチ１５４のシーソースイッチ１５４ａがオフ状態にされた場合に、図５に示すように、サスペンド状態に移行する。このサスペンド状態では、第１電源系統デバイスの電源制御部１３５およびＲＡＭ１３３に電力が供給されるが、その他の第１電源系統デバイス、第２電源系統デバイスおよび第３電源系統デバイスには電力が供給されない。
【００４１】
サスペンド状態では、メインメモリであるＲＡＭ１３３に、印刷装置１０３がサスペンド状態に移行する直前の作業状態を示す情報が記憶される。本実施形態では、印刷装置１０３は、サスペンド状態に移行する前に、リブートを実行する。そして、印刷装置１０３がサスペンド状態から復帰する場合には、ＲＡＭ１３３に記憶される前記作業状態を用いることができるので、ＯＳやアプリケーションを起動する場合に比べて、高速起動することができる。
【００４２】
また、印刷装置１０３は、電源スイッチ１５４のシーソースイッチ１５４ａがオフ状態にされた場合に、所定の条件で、サスペンド状態に移行せずに、図６に示すように、電源オフ状態に移行する。所定の条件とは、サスペンド状態に移行するのがユーザ設定で禁止されていること（図７の画面で“ＯＦＦ”が選択されている場合）や、所定時間以上電源オフ状態になっていないこと等である。
【００４３】
なお、印刷装置１０３は、スタンバイ状態および省電力状態（スリープ状態、サスペンド状態）とは異なる電力状態となって良いことは言うまでもない。例えば、印刷装置１０３は、印刷装置１０３の電源を切る直前の状態を示す情報をＨＤＤ１３４に保存して、次に電源を入れたときに電源を切る直前の状態から作業を再開するハイバネーション状態となっても良い。
【００４４】
次に、電源制御部１３５の詳細について説明する。
【００４５】
電源制御部１３５は、回路の書き変えが可能なプログラムの書き換えが可能なロジック回路である。本実施形態の電源制御部１３５は、ＣＰＬＤ（Ｃｏｍｐｌｅｘ  Ｐｒｏｇｒａｍｍａｂｌｅ  Ｌｏｇｉｃ  Ｄｅｖｉｃｅ）である。
【００４６】
電源制御部１３５は、印刷装置１０３を省電力状態から復帰させるための復帰要因を検知する。
【００４７】
スリープ状態では、以下に示す復帰要因を検知するためにネットワークＩ／Ｆ１３８、操作部１０６の節電ボタン１０６ｃ、電源制御部１３５およびＲＡＭ１３３に電力が供給されているが、その他の箇所への電力供給は停止されている。
・印刷制御装置１０２から起床パケットを受信したこと
・ユーザによって節電ボタン１０６ｃが押下されたこと
また、サスペンド状態では、以下に示す復帰要因を検知するために電源制御部１３５およびＲＡＭ１３３にのみ電力が供給されている。
・電源スイッチ１５４のシーソースイッチ１５４ａがオン状態になったこと
スリープ状態のときに、ネットワークＩ／Ｆ１３８が起床パケットを受信した場合には、電源制御部１３５に入力される復帰信号ＷＡＫＥ＿ＬＡＮがＨｉレベルになる。また、ユーザによって節電ボタン１０６ｃが押下された場合には、電源制御部１３５に入力される復帰信号ＫＥＹがＨｉレベルになる。
【００４８】
印刷装置１０３がスリープ状態のときに、復帰信号ＷＡＫＥ＿ＬＡＮまたは復帰信号ＫＥＹがＨｉレベルになった場合、電源制御部１３５は、信号ＣＯＮＴ、信号ＰＲＩＮＴ、信号ＳＣＡＮ、信号ＲＥＬＡＹをＨｉレベルにする。これにより、スイッチ１５６−１６２がＯＮされて、印刷装置１０３がスタンバイ状態になる。
【００４９】
また、サスペンド状態のときに、電源スイッチ１５４のシーソースイッチ１５４ａがオン状態になった場合には、電源制御部１３５に入力される信号ＳＥＥＳＡＷがＨｉレベルになる。
【００５０】
印刷装置１０３がサスペンド状態のときに、信号ＳＥＥＳＡＷがＨｉレベルになった場合、電源制御部１３５は、信号ＣＯＮＴ、信号ＮＷ、信号ＰＲＩＮＴ、信号ＳＣＡＮ、信号ＲＥＬＡＹをＨｉレベルにする。これにより、スイッチ１５６−１６２がＯＮされて、印刷装置１０３がスタンバイ状態になる。
【００５１】
印刷制御装置１０２も、省電力状態に移行可能である。印刷制御装置１０２が省電力状態に移行した場合、ＣＰＵ１２１、メモリ１２２、ＨＤＤ１２３およびビデオＩ／Ｆ１２４への電力供給が停止される。一方で、省電力状態でも、内部ネットワークＩ／Ｆ１２５および外部ネットワークＩ／Ｆ１２６には、電力が供給される。
【００５２】
印刷制御装置１０２が省電力状態のときに、クライアントコンピュータ１０１から印刷ジョブを受信したならば、省電力状態からスタンバイ状態（各ユニットに電力が供給される状態）に復帰する。そして、印刷制御装置１０２は、スタンバイ状態で、受信した印刷ジョブに従って生成したラスター画像データを印刷装置１０３に送信する。
【００５３】
図７は、高速起動を有効にするか無効にするかを選択するための画面である。
【００５４】
高速起動を有効にした場合（図７の画面の“ＯＮ”が選択された場合）、ユーザがシーソースイッチ１５４ａをオフ状態にすると、印刷装置１０３はサスペンド状態に移行する。これに対して、高速起動を無効にした場合（図７の画面の“ＯＦＦ”が選択された場合）、ユーザがシーソースイッチ１５４ａをオフ状態にすると、印刷装置１０３は電源オフ状態に移行する。
【００５５】
図８は、印刷装置が電源オフ状態又はサスペンド状態に移行する場合に実行するフローチャートである。このフローチャートの各ステップは、印刷装置１０３のＣＰＵ１３１が実行する。
【００５６】
まず、ＣＰＵ１３１は、電源スイッチ１５４（シーソースイッチ１５４ａ）がオフ状態になったか否かを判断する（Ｓ８０１）。シーソースイッチ１５４ａがオフ状態になった場合、電源制御部１３５に入力される信号ＳＥＥＳＡＷがＬｏｗレベルになる。そして、信号ＳＥＥＳＡＷがＬｏｗレベルになると、電源制御部１３５は、ＣＰＵ１３１に対して電源スイッチ１５４がオフ状態になったことを通知する。ＣＰＵ１３１は、この通知に基づいて、電源スイッチ１５４がオフ状態になったか否かを判断する。
【００５７】
電源スイッチ１５４がオフ状態になった場合（Ｓ８０１：Ｙｅｓ）、ＣＰＵ１３１は、高速起動が有効か否かを判断する（Ｓ８０２）。上記した図７の画面で、ユーザによって“ＯＮ”が選択された場合、ＣＰＵ１３１は、高速起動が有効であると判断する（Ｓ８０２：Ｙｅｓ）。これに対して、上記した図７の画面で、ユーザによって“ＯＦＦ”が選択された場合、ＣＰＵ１３１は、高速起動が無効であると判断する（Ｓ８０２：Ｎｏ）。
【００５８】
高速起動が有効の場合（Ｓ８０２：Ｙｅｓ）、ＣＰＵ１３１は、印刷装置１０３の状態がサスペンド状態であることを示す情報（以下、サスペンド状態フラグとする）を、ＨＤＤ１３４に記憶する（サスペンド状態フラグをＯＮする）（Ｓ８０３）。
【００５９】
そして、ＣＰＵ１３１は、印刷装置１０３をサスペンド状態に移行する処理を実行する（Ｓ８０４）。具体的には、印刷装置１０３は、印刷装置１０３のリブートを行い、印刷装置１０３が電源オフ状態から起動した直後の状態にする。そして、ＣＰＵ１３１は、印刷装置１０３が電源オフ状態から起動した直後の状態を示す情報を保持したＲＡＭ１３３や電源制御部１３５以外の部分への電力供給を遮断するよう電源制御部１３５に指示する。
【００６０】
電源制御部１３５は、ＣＰＵ１３１からの指示を受信すると、信号ＣＯＮＴ、信号ＮＷ、信号ＰＲＩＮＴ、信号ＳＣＡＮおよび信号ＲＥＬＡＹをＬｏｗレベルにする。これにより、スイッチ１５６−１６２がＯＦＦされて、印刷装置１０３が図５に示したサスペンド状態になる。
【００６１】
一方、高速起動が無効の場合（Ｓ８０２：Ｎｏ）、ＣＰＵ１３１は、サスペンド状態フラグをＯＦＦにする（Ｓ８０５）。そして、ＣＰＵ１３１は、印刷装置１０３を電源オフ状態に移行させる処理を実行する（Ｓ８０６）。具体的には、ＣＰＵ１３１は、印刷装置１０３のシャットダウン処理を実行する。シャットダウン処理とは、ファイルのクローズ処理、実行されるアプリケーションプログラムの終了処理、各種入出力装置との通信の切断、ＯＳの終了処理などである。シャットダウン処理が終了する前に、ＣＰＵ１３１は、所定時間経過後に電源制御部１３５がリレースイッチ１５５をオフするよう指示する。電源制御部１３５は、ＣＰＵ１３１によって設定されたタイマが所定時間をカウントした場合に、信号ＳＨＵＴＯＦＦをＬｏｗレベルにして、リレースイッチ１５５をオフ状態にする。これにより、印刷装置１０３が電源オフ状態に移行する。
【００６２】
なお、高速起動が有効の場合（Ｓ８０２：Ｙｅｓ）であっても、印刷装置１０３の再起動を要求する設定変更が行われたり、所定時間以上電源オフ状態に移行していなかったりした場合には、印刷装置１０３は図６に示した電源オフ状態に移行する。
【００６３】
図９は、印刷制御装置の終了処理を示すフローチャートである。このフローチャートの各ステップは、印刷制御装置１０２のＣＰＵ１２１が実行する。
【００６４】
ＣＰＵ１２１は、印刷装置１０３がサスペンド状態に移行するのか電源オフ状態に移行するのかを判断する（Ｓ９０１）。印刷装置１０３がサスペンド状態に移行する場合（Ｓ９０１：Ｙｅｓ）、ＣＰＵ１２１は、印刷装置１０３のデバイス情報を取得する（Ｓ９０２）。Ｓ９０２において、ＣＰＵ１２１が取得するデバイス情報は、次に列挙する情報である。
・印刷装置の情報
・メディア情報
・印刷装置の構成情報
・ネットワークの設定情報
・給紙段の用紙の情報
・印刷装置の時刻情報
上記した印刷装置のデバイス情報は、印刷装置１０３の型番やバージョン情報などである。また、この印刷装置のデバイス情報は、印刷装置１０３が印刷を実行する場合に設定される動作設定値を含む。
【００６５】
メディア情報は、印刷装置１０３に登録されている用紙の名称やサイズなどの情報を含む。
【００６６】
印刷装置の構成情報は、印刷装置１０３が備える構成（給紙装置の構成、排紙装置の構成、後処理装置の構成など）に関する情報である。
【００６７】
ネットワークの設定情報は、印刷装置１０３がサポートする通信プロトコル、および印刷装置１０３のＩＰアドレスやＭＡＣアドレスなどの情報を含む。
【００６８】
また、給紙段の用紙の情報は、印刷装置１０３の給紙段に収納される用紙の残量を示す情報や当該用紙のサイズ情報などを含む。
【００６９】
なお、印刷制御装置１０２は、スタンバイ状態のときに定期的に上記した情報を取得している。
【００７０】
印刷装置１０３の情報を取得した後、ＣＰＵ１２１は、印刷制御装置１０２の終了処理を実行する（Ｓ９０３）。具体的には、ＣＰＵ１２１は、印刷制御装置１０２のシャットダウン処理を実行した後、印刷制御装置１０２を電源オフ状態にする。
【００７１】
これに対して、印刷装置１０３が電源オフ状態に移行する場合（Ｓ９０１：Ｎｏ）、ＣＰＵ１２１は、Ｓ９０２における印刷装置１０３のデバイス情報を取得する処理を行わずに、印刷制御装置１０２の終了処理を実行する（Ｓ９０３）。
【００７２】
図１０は、印刷制御装置の起動処理を示したフローチャートである。このフローチャートの各ステップは、印刷制御装置１０２のＣＰＵ１２１が実行する。本実施形態の印刷制御装置１０２は、印刷装置１０３の電力状態の変化に連動して、電力状態が変化する。印刷装置１０３の電源スイッチ１５４がオフ状態からオン状態にされると、印刷装置１０３が電源オフ状態またはサスペンド状態からスタンバイ状態に復帰する。これに連動して、印刷制御装置１０２も電源オフ状態からスタンバイ状態に復帰する。
【００７３】
印刷制御装置１０２の電源がオンされて、ＣＰＵ１２１が起動すると、ＣＰＵ１２１は、印刷装置１０３と接続処理を行う（Ｓ１００１）。この接続処理によって、印刷装置１０３と印刷制御装置１０２とが接続可能な組み合わせか否かが判断される。
【００７４】
そして、ＣＰＵ１２１は、印刷装置１０３のＨＤＤ１３４に記憶されるサスペンド状態フラグを取得して確認する（Ｓ１００２）。なお、本実施形態では、印刷制御装置１０２の起動時に印刷装置１０３のＨＤＤ１３４に記憶されるサスペンド状態フラグを取得する例について説明した。しかしながら、印刷制御装置１０２が終了処理を実行する前に、当該サスペンド状態フラグを取得しておいても良い。
【００７５】
取得したサスペンド状態フラグがＯＦＦの場合、ＣＰＵ１２１は、次に列挙するデバイス情報の取得処理を実行する。
・印刷装置の情報（Ｓ１００７）
・メディア情報（Ｓ１００８）
・印刷装置の構成情報（Ｓ１００９）
・ネットワークの設定情報（Ｓ１０１０）
・給紙段の用紙の情報（Ｓ１００５）
・印刷装置の時刻情報（Ｓ１００６）
一方、取得したサスペンド状態フラグがＯＮの場合、ＣＰＵ１２１は、上記したＳ１００７−Ｓ１０１０の処理を省略して、給紙段の用紙残量の情報（Ｓ１００５）の取得処理、および、印刷装置の時刻情報（Ｓ１００６）の取得処理、を実行する。
【００７６】
＜本実施形態の効果＞
上記したように、本実施形態では、印刷装置１０３がサスペンド状態からスタンバイ状態に復帰した場合には、印刷制御装置１０２は、印刷装置１０３のデバイス情報を取得する処理の一部を省略する。具体的には、印刷制御装置１０２は、印刷装置の情報（Ｓ１００７）、メディア情報（Ｓ１００８）、印刷装置の構成情報（Ｓ１００９）およびネットワークの設定情報（Ｓ１０１０）の取得を省略する。これにより、印刷制御装置１０２の起動完了までの時間が短縮される。これにより、サスペンド状態から高速復帰する印刷装置１０３と、印刷装置のデバイス情報を取得する処理を省略する印刷制御装置１０２と、を備える印刷システム全体としての起動時間が短縮される。
【００７７】
また、本実施形態の印刷制御装置１０２は、起動時に印刷装置１０３のＨＤＤ１３４に記憶されるサスペンド状態フラグを取得する。これにより、印刷制御装置１０２の電源がオフ状態のときに、印刷装置１０３のみが単独で起動されて、印刷装置１０３の構成が変更された場合であっても、印刷制御装置１０２は構成変更後のデバイス情報を取得することができる。
【００７８】
［第２実施形態］
上記した第１実施形態の印刷制御装置１０２は、印刷装置１０３に連動して電力状態が変化する装置であった。第２実施形態の印刷制御装置１０２は、印刷装置１０３に連動しないで、独立して電力状態が変化する。つまり、第２実施形態の印刷制御装置１０２は、印刷装置１０３の電源スイッチ１５４がオン状態になったとしても、印刷制御装置１０２は起動しない。ユーザが印刷制御装置１０２の電源スイッチ（図示しない）をオン状態にすることによって、印刷制御装置１０２が起動を開始する。
【００７９】
第２実施形態では、印刷装置１０３と印刷制御装置１０２とが連動しないので、印刷装置１０３がスタンバイ状態の場合に、印刷制御装置１０２が電源オフ状態の場合が存在する。
【００８０】
例えば、第１実施形態では、印刷装置１０３のメディア情報が変更された場合、印刷装置１０３は、印刷制御装置１０２に対してメディア情報が変化したことを通知することができる。しかしながら、第２実施形態では、印刷装置１０３のメディア情報が変更され場合に、印刷制御装置１０２が電源オフ状態であれば、当該メディア情報の変更を印刷制御装置１０２に通知することができない。
【００８１】
印刷装置１０３のメディア情報の変更が印刷制御装置１０２に通知されないまま、印刷装置１０３がサスペンド状態に移行した場合、印刷制御装置１０２は、印刷装置１０３のメディア情報の変更を印刷制御装置１０２に反映することができない。
【００８２】
そこで、第２実施形態では、印刷制御装置１０２が接続されていないときに、メディア情報などの設定変更が行われた場合には、当該設定変更を印刷制御装置１０２に反映するようにする。
【００８３】
図１１は、印刷装置が電源オフ状態又はサスペンド状態に移行する場合に実行するフローチャートである。このフローチャートの各ステップは、印刷装置１０３のＣＰＵ１３１が実行する。
【００８４】
まず、ＣＰＵ１３１は、電源スイッチ１５４（シーソースイッチ１５４ａ）がオフ状態になったか否かを判断する（Ｓ１１０１）。電源スイッチ１５４がオフ状態になった場合（Ｓ１１０１：Ｙｅｓ）、ＣＰＵ１３１は、高速起動が有効か否かを判断する（Ｓ１１０２）。
【００８５】
高速起動が有効の場合（Ｓ１１０２：Ｙｅｓ）、ＣＰＵ１３１は、印刷制御装置１０２が接続されていない間に、印刷装置１０３のメディア情報などの設定が変更されたか否かを判断する（Ｓ１１０３）。そして、第２実施形態では、印刷制御装置１０２が接続されていない間に、印刷装置１０３のメディア情報などが変更されたと判断した場合には、サスペンド状態フラグをＯＦＦに設定する（Ｓ１１０５）。また、印刷制御装置１０２が接続されていない間に、印刷装置１０３のメディア情報などが変更されていないと判断した場合には、サスペンド状態フラグをＯＮに設定する（Ｓ１１０７）。
【００８６】
その他の処理は、第１実施形態と同様なのでその説明を割愛する。
【００８７】
このように、第２実施形態では、印刷制御装置１０２が接続されていない間に、印刷装置１０３のメディア情報などが変更された場合には、サスペンド状態フラグがＯＦＦになる。よって、印刷制御装置１０２が起動した場合に、印刷制御装置１０２のＣＰＵ１２１は、メディア情報の取得処理など（Ｓ１００８等）を実行することができる。これにより、印刷制御装置１０２が接続されていない間に印刷装置１０３の設定が変更された場合にも、印刷制御装置１０２の印刷装置１０３の実際のデバイス情報を取得することができる。
【００８８】
しかし、サスペンド状態フラグがＯＮになっている状態で、印刷装置１０３のみが起動して印刷装置１０３のメディア情報などが変更された場合、起動した印刷制御装置１０２は、サスペンド状態フラグに基づいて印刷装置１０３のデバイス情報の取得を省略する。しかしながら、実際には、印刷制御装置１０２が起動する前に、印刷装置１０３のメディア情報が変更されているので、印刷制御装置１０２は、印刷装置１０３のメディア情報などを更新すべきである。
【００８９】
そこで、第２実施形態では、印刷制御装置１０２が接続されていない間に、印刷装置１０３のメディア情報などが変更された場合には、印刷制御装置１０２は印刷装置１０３のメディア情報などを更新する。
【００９０】
図１２は、印刷装置の設定が変更された場合に実行されるフローチャートである。このフローチャートの各ステップは、印刷装置１０３のＣＰＵ１３１が実行する。
【００９１】
まず、ＣＰＵ１３１は、印刷装置１０３の設定（例えば、メディア情報）が変更されたか否かを判断する（Ｓ１２０１）。印刷装置１０３の設定が変更された場合（Ｓ１２０１：Ｙｅｓ）、ＣＰＵ１３１は、印刷制御装置１０２が接続されているか否かを判断する（Ｓ１２０２）。
【００９２】
印刷装置１０３に印刷制御装置１０２が接続されている場合（Ｓ１２０２：Ｙｅｓ）、印刷装置１０３は、印刷制御装置１０２に対して設定変更を通知する（Ｓ１２０３）。これにより、印刷制御装置１０２は、リアルタイムで印刷装置１０３の設定を印刷制御装置１０２に反映させることができる。
【００９３】
一方、印刷装置１０３に印刷制御装置１０２が接続されていない場合（Ｓ１２０２：Ｎｏ）、印刷装置１０３は印刷制御装置１０２に設定変更を通知することができない。そこで、本実施形態では、サスペンド状態フラグをＯＦＦに設定する（Ｓ１２０４）。これにより、印刷制御装置１０２が起動した場合に、サスペンド状態フラグ（ＯＦＦ）に基づいて、図１０のＳ１００５−Ｓ１０１０の各処理を実行する。その結果、印刷制御装置１０２に印刷装置１０３の設定を反映することができる。
【００９４】
［他の実施形態］
上記した実施形態では、電源スイッチ１５４がオフ状態になった場合に、印刷装置１０３がサスペンド状態に移行する例について説明したが、本発明では、ハイバネーション状態に移行しても良い。
【００９５】
また、サスペンド状態フラグがＨＤＤ１３４に記憶される例について説明したが、このサスペンド状態フラグは、印刷制御装置１０２の不揮発性メモリに記憶されても良いし、印刷装置１０３のＨＤＤ１３４以外の不揮発性メモリに記憶されても良い。
【００９６】
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。
【符号の説明】
【００９７】
１００  印刷システム
１０２  印刷制御装置
１０３  印刷装置
１２１  ＣＰＵ
１２５  内部ネットワークＩ／Ｆ
１３１  ＣＰＵ
１３３  ＲＡＭ
１３５  電源制御部
１３８  ネットワークＩ／Ｆ
１５４  電源スイッチ
１５４ａ  シーソースイッチ
【図１】
2016020027.tif 000003
【図２】
2016020027.tif 000004
【図３】
2016020027.tif 000005
【図４】
2016020027.tif 000006
【図５】
2016020027.tif 000007
【図６】
2016020027.tif 000008
【図７】
2016020027.tif 000009
【図８】
2016020027.tif 000010
【図９】
2016020027.tif 000011
【図１０】
2016020027.tif 000012
【図１１】
2016020027.tif 000013
【図１２】
2016020027.tif 000014